(57)【要約】【課題】極めてシンプルな構成で部品点数の減少を図りつつ、縦置き使用もできるディスク装置を提供することを目的とする。【解決手段】一方の面に凹段部２１、２２を有するディスク受け面２３を備えたトレイ２を、本体キャビンネット１に出し入れ自在に形成してなるディスク装置において、前記ディスク受け面２３の中心Ｃより前面Ｆ側に、ディスク３を装着した状態で該ディスク３を跨ぐようにディスク落下防止バー４を設けるとともに、前記トレイ２の前面Ｆ側が、ディスク受け面２３の裏面２５側にヒンジ機構５により折れ曲がるように一体的に形成する。【選択図】図１
2004213726.tif 000002
【特許請求の範囲】
【請求項１】
一方の面に凹段部を有するディスク受け面を備えたトレイを、本体キャビンネットに出し入れ自在に形成してなるディスク装置において、
前記ディスク受け面の中心より前面側に、ディスクを装着した状態で該ディスクを跨ぐようにディスク落下防止バーを設けるとともに、前記トレイの前面側が、ディスク受け面の裏面側にヒンジ機構により折れ曲がるように一体的に形成したことを特徴とするディスク装置。
【請求項２】
一方の面に凹段部を有するディスク受け面を備えたトレイを、本体キャビンネットに出し入れ自在に形成してなるディスク装置において、
前記ディスク受け面側に、ディスクを装着した状態で該ディスクを跨ぐようにディスク落下防止バーを設けたことを特徴とするディスク装置。
【請求項３】
前記ディスク落下防止バーを、前記ディスク受け面の中心より背面側に設けたことを特徴とする請求項２に記載のディスク装置。
【請求項４】
前記トレイの前面側が、ディスク受け面の裏面側に折れ曲がるように形成したことを特徴とする請求項２または請求項３に記載のディスク装置。
【請求項５】
前記ディスク落下防止バーを、前記トレイのトレイ折曲部側に設けたことを特徴とする請求項１に記載のディスク装置。
【発明の詳細な説明】
【０００１】
【発明の属する技術分野】本発明は、情報が記録されたディスクの再生又はディスクへの情報の記録を行なうＣＤおよびＣＤ関連ディスクの駆動装置で、通常トレイロード方式と呼ばれるディスクのロードおよびイジェクト方式を採用しているディスク装置に係り、特に、縦置き使用もできるディスク装置に関する。
【０００２】
【従来の技術】周知の通り、ＣＤ、ＣＤ−ＲＯＭ、ＣＤ−Ｒ、ＣＤ−Ｉ、ＣＤ−Ｅ、ＤＶＤなどディスクのデータの読み込みまたは／および書き込みを行うディスク装置のディスク搬入・搬出（ロード・イジェクト）方式としては、通常トレイロード方式と呼ばれる方式がある。このトレイロード方式のディスク装置は、ＣＤ等のディスクを載置すると共に、本体キャビネットに対し出し入れ自在に設けられたトレイを有し、ヘッドを用いて前記トレイに載置されたディスクとの間でデータの読み込みまたは／および書き込みを行う。
【０００３】
【発明が解決しようとする課題】ところで、従来のトレイロード方式のディスク装置は、通常、水平置きとして使用されている。つまり、このトレイロード方式のディスク装置は、装置を水平に置くことを前提として設計されているため、縦置きでは、トレイにディスクをセッティングすることが不可能で、使用できなかった。
【０００４】この対策として従来では、縦置き時のディスクを保持するために設けられたディスク押さえ部材を、イジェクトおよびローディング動作に対応して付勢バネに繋がれた連動レバーを回動するように制御する制御装置を備えたものがある(例えば、特許文献1参照）。
【０００５】また、縦置き時のディスクを保持するために設けられたディスク固定部材を、トレイの収納動作に連動して、収納時にはカムとピントの系合により捩じりコイルバネの付勢に抗してスライドクランプ板を動かし、その固定を解除するように構成したものがある(例えば、特許文献２参照）。
【０００６】
【特許文献１】
特開平１１-１６７７６０号公報
【特許文献２】
特開平８−４５１５７号公報
【０００７】
【発明が解決しようとする課題】しかし、前者の特許文献１記載の構成では、ディスク押さえ部材を制御装置により制御し、しかも付勢バネなどを用いており、部品点数が多くなり、その構成が極めて煩雑となり、勢い高価なものとなる。
【０００８】また、後者の特許文献２記載の構成では、トレイの収納と連動しており、動作に時間がかかる他、前者のものと同様、カム機構や捩じりコイルバネを用いているので、部品点数が多くなり、勢い装置構成が極めて煩雑となる傾向がある他、高価なものとなる、などといった課題があった。
【０００９】本発明は、上述した問題を解決するためになされたものであり、極めてシンプルな構成で部品点数の減少を図りつつ、縦置き使用もできるディスク装置を提供することを目的とする。
【００１０】
【課題を解決するための手段】かかる目的を達成するため、請求項１記載の発明では、一方の面に凹段部を有するディスク受け面を備えたトレイを、本体キャビンネットに出し入れ自在に形成してなるディスク装置において、前記ディスク受け面の中心より前面側に、ディスクを装着した状態で該ディスクを跨ぐようにディスク落下防止バーを設けるとともに、前記トレイの前面側が、ディスク受け面の裏面側にヒンジ機構により折れ曲がるように一体的に形成する。
【００１１】請求項１記載の発明の構成によれば、この種ディスク装置を使用する場合、トレイの前面側をディスク受け面の裏面側に折り曲げた状態で、ディスクをディスク受け面とディスク落下防止バーとの間に挿入し、その後前記トレイを元の状態に戻せば、ディスクは簡単に前記ディスク受け面とディスク落下防止バーとにより保持される。従って、ディスク装置を縦置きで使用してもディスクの落下を防止することが出来きる。しかも、その構成は、この種ディスク装置のトレイに、ディスク受け面の中心より前面側に、ディスクを装着した状態で該ディスクを跨ぐようにディスク落下防止バーを設けるとともに、前記トレイが、ディスク受け面の裏面側にヒンジ機構により折れ曲がるように一体的に形成すればよく、極めてシンプルで部品点数の減少を図ることが出来る。
【００１２】請求項２記載の発明では、一方の面に凹段部を有するディスク受け面を備えたトレイを、本体キャビンネットに出し入れ自在に形成してなるディスク装置において、前記ディスク受け面側に、ディスクを装着した状態で該ディスクを跨ぐようにディスク落下防止バーを設ける。
【００１３】請求項２記載の発明の構成によれば、ディスクをディスク受け面とディスク落下防止バーとの間に挿入すれば、ディスクは前記ディスク受け面とディスク落下防止バーとにより保持され、従って、ディスク装置を縦置きで使用しても、ディスクの落下を防止することが出来きる。しかも、その構成は、トレイのディスク受け面側に、ディスクを装着した状態で該ディスクを跨ぐようにディスク落下防止バーを設ければよく、極めてシンプルで部品点数の減少を図ることが出来る。
【００１４】請求項３記載の発明では、ディスク落下防止バーを、前記ディスク受け面の中心より背面側に設けたものである。
【００１５】請求項３記載の発明の構成によれば、ディスク落下防止バーが背面側にあるので、ディスクの挿入距離が短くなり、ディスクをディスク受け面とディスク落下防止バーとの間に簡単に挿入することが出来る。
【００１６】請求項４記載の発明では、トレイの前面側を、ディスク受け面の裏面側に折れ曲がるように形成したものである。
【００１７】請求項４記載の発明の構成によれば、トレイが折れ曲るので、ディスク装着時、トレイの前面側をディスク受け面の裏面側に折り曲げた状態で、ディスクをディスク受け面とディスク落下防止バーとの間に挿入できるので、ディスクの挿入が簡単であり、その後前記トレイ折曲部を元の状態に戻せば、ディスクは簡単に前記ディスク受け面とディスク落下防止バーとにより保持される。
【００１８】請求項５記載の発明では、ディスク落下防止バーを、ディスク受け面のトレイが折れ曲る側であるトレイ折曲部に設けたものである。
【００１９】請求項５記載の発明の構成によれば、ディスク装着時、予めトレイの前面側をディスク受け面の裏面側に折り曲げた状態で、ディスクをトレイ折曲部のディスク受け面と、ディスク落下防止バーとの間に挿入し、その状態でトレイ折曲部を元に戻せばよいので、ディスクの装着がきわめて簡単に出来る。
【００２０】
【発明の実施の形態】以下、本発明の実施の形態を図１乃至図３に基づき説明する。
【００２１】図１は、本発明の一実施の形態によるディスク装置を縦置きとしたときの概略要部斜視図、図２は、ディスク装置を横置きとした状態のトレイの要部のみを示す概略平面図である。図３は、同じくディスク装置を横置きとした状態のトレイの要部のみを示す概略側面断面図である。
【００２２】このディスク装置には、本体キャビネット１に対しトレイ２が出し入れ自在に設けられている。トレイ２には、一方の面に凹段部２１および２２が形成されて１２ｃｍや８ｃｍのディスク３を受けるディスク受け面２３が設けられている。なお、ディスク受け面２３には、本体キャビネット１内に配設されたピックアップユニット（図示せず）に積載されたスピンドルモータに設けたチャッキング部材であるターンテーブル（図示せず）が通される開口部２４が設けられている。また、本体キャビネット１内の、トレイ２のディスク受け面２３側には、前記ターンテーブルと協動してディスク３をチャッキングするクランパー及びクランパー部材（図示せず）などが配設されている。
【００２３】前記ディスク受け面２３側には、ディスク３を装着した状態で該ディスク３を跨ぐようにディスク落下防止バー４が設けられている。この例では、ディスク落下防止バー４は、ディスク受け面２３の中心Cより背面R側の前述した図示しないターンテーブルなどの動作に支障のない位置に設けられている。前記ディスク落下防止バー４のディスク受け面２３側に位置する面と、このディスク受け面２３との間の距離は、ディスク３を装着した状態で、ディスク３をチャッキングや回転する際に邪魔にならない程度の隙間が設けられていればよい。
【００２４】また、このディスク落下防止バー４は、トレイ２を形成する際に、合成樹脂で一体的に形成しても、金型の都合で個別に作り、嵌め合い方式の勘合手段や接着手段などによりトレイ２の側面に取り付けてもよいのは勿論である。合成樹脂で一体的に形成すれば、トレイ２へのディスク落下防止バー４の取り付け作業が不要となり、作業工数の削減が図れ、都合がよい。
【００２５】次に、このように構成されたディスク装置にディスク３を装着する手順について説明する。
【００２６】先ず、縦置きで使用する場合、図示しないローディングボタンを操作し、トレイ２を引き出して所望のディスク３を、トレイ２の前面F側からディスク受け面２３と、ディスク落下防止バー４との間に挿入すれば、ディスクは前記ディスク受け面２３とディスク落下防止バー４とにより保持される。次に、この状態で、図示しないローディングボタンを操作し、トレイ２を本体キャビネット１内にロードする。これにより、ディスク受け面２３に載置されたディスク３は、ディスク受け面２３から落下することなく、確実に装置内に送入することが出来る。その後、ディスク３は、ピックアップユニット内のチャッキングなどによりチャッキングされる。
【００２７】また、詳述しないがイジェクト時においても、動作的には前述のロード動作と略同じで、図示しないローディングボタンを操作し、トレイ２を本体キャビネット１からイジェクトする。このとき、ディスク３は、ディスク落下防止バー４により保持された状態で、イジェクトされるのでディスク受け面２３から落下することはない。
【００２８】水平置きで使用する場合についても、縦置きの場合と同様、トレイ２の前面F側からディスク３をディスク受け面２３と、ディスク落下防止バー４との間に挿入すれば良く、この状態でこれまでの水平置き専用のものと全く同じ要領で使用すればよい。
【００２９】以上のような実施の形態では、この種ディスク装置のトレイ２の、ディスク受け面２３側に、ディスク３を装着した状態で該ディスク３を跨ぐようにディスク落下防止バー４を設ければ、この種装置を縦置き使用もできるのは勿論のこと、極めてシンプルな構成で部品点数の減少を図ることが出来る。
【００３０】次に、図４および図５に示す他の実施の形態について説明する。なお、図４および図５において図1乃至図３と同じ符号を付した部分は略同一のものを示す。以下相違点を中心に説明する。
【００３１】図４は、ディスク装置のトレイの要部のみを示す概略拡大断面図である。図５は、図４に示すトレイの前面側の一部が、ディスク受け面の裏面側に折れ曲がった状態を示す概略拡大断面図である。
【００３２】この形態では、トレイ２の前面F側が、ディスク受け面２３の裏面２５側に折れ曲がるように形成したものである。すなわち、折れ曲げ部分は、裏面２５側にヒンジ部５１を、ディスク受け面２３側に爪部５２を備えたヒンジ機構５が、例えばトレイ２を作成する樹脂成形時に一体的に形成されている。５３は、トレイ折曲部２６のディスク受け面２３側に必要に応じて設けられる段部で、このような段部５３を設けると、前記爪部５２が系止した状態で、ディスク受け面２３がフラットとなり、ディスク３を装着するのに都合がよい。また、図示しないがヒンジ機構５は、折れ曲がる部分全体に設ける必要はなく、その機械的強度や成形時の金型などの都合で、その一部あるいは部分的に形成しても良いのは勿論である。なお、この例では、ディスク落下防止バー４は、ディスク受け面２３の中心Cより前面F側の前述した図示しないターンテーブルなどの動作に支障のない位置に設けられている。
【００３３】この構成によれば、縦置きあるいは水平置き、いずれの使用時にも、トレイ２をイジェクトし、ヒンジ手段５の段部５３と、爪部５２との系止関係を解き、トレイ２の前面F側のトレイ折曲部２６を、ディスク受け面２３の裏面２５側に折り曲げた状態（図５参照）で、所望のディスク３を、トレイ２の前面F側からディスク受け面２３と、ディスク落下防止バー４との間に挿入すれば、ディスク３は前記ディスク受け面２３とディスク落下防止バー４とにより保持される。その後、トレイ折曲部２６を元の状態（図４参照：ディスク３は図示省略）、すなわち、ヒンジ手段５の段部５３と、爪部５２とを系止し、次に、この状態で、図示しないローディングボタンを操作し、トレイ２を本体キャビネット１内にロードする。これにより、ディスク受け面２３に載置されたディスク３は、ディスク受け面２３から落下することなく、確実に装置内に送入することが出来る。その後、ディスク３は、ピックアップユニット内のチャッキングなどによりチャッキングされる。
【００３４】従って、この実施の形態においても、この種装置を縦置き使用した場合、ディスク３は前記ディスク落下防止バー４により保持された状態で、イジェクトおよびローディング動作を行うことが出来る。従って、イジェクトおよびローディング時に、ディスク３が落下するのを防止することが出来る。しかも、その構成は、極めてシンプルで部品点数の減少を図ることが出来る。
【００３５】次に、図６および図７に示す更に他の実施の形態について説明する。なお、図６および図７において図1乃至図５と同じ符号を付した部分は略同一のものを示す。以下相違点を中心に説明する。
【００３６】図６は、ディスク装置のトレイの要部のみを示す概略拡大断面図である。図７は、図６に示すトレイの前面側が、ディスク受け面の裏面側に折れ曲がった状態を示す概略拡大断面図である。
【００３７】この形態では、トレイ２の前面F側が、ディスク受け面２３の裏面２５側に折れ曲がるように形成するとともに、ディスク落下防止バー４を、前記トレイ２のトレイ折曲部２６側に設けたものである。また、この例では、ヒンジ機構５の爪部５２の厚みを極力薄くし、前述の形態で形成したトレイ折曲部２６の段部５３を省略し、金型の形状の簡素化を図っている。
【００３８】この構成によれば、縦置きあるいは水平置き、いずれの使用時にも、トレイ２をイジェクトし、ヒンジ手段５のトレイ折曲部２６の先端部分２７と、爪部５２の系止関係を解き、トレイ２の前面F側のトレイ折曲部２６を、ディスク受け面２３の裏面２５側に折り曲げた状態（図７参照）で、所望のディスク３を、トレイ折曲部２６側のディスク受け面２３と、トレイ折曲部２６側に設けられたディスク落下防止バー４との間に挿入する。その後、トレイ折曲部２６を元の状態（図６参照：ディスク３は図示省略）、すなわち、ヒンジ手段５のトレイ折曲部２６の先端部分２７と、爪部５２とを系止しすれば、ディスク３は前記ディスク受け面２３とディスク落下防止バー４とにより保持される。次に、この状態で、図示しないローディングボタンを操作し、トレイ２を本体キャビネット１内にロードする。これにより、ディスク受け面２３に載置されたディスク３は、ディスク受け面２３から落下することなく、確実に装置内に送入することが出来る。その後、ディスク３は、ピックアップユニット内のチャッキングなどによりチャッキングされる。
【００３９】従って、この実施の形態においても、この種装置を縦置き使用した場合、ディスク３は前記ディスク落下防止バー４により保持された状態で、イジェクトおよびローディング動作を行うことが出来る。従って、イジェクトおよびローディング時に、ディスク３が落下するのを防止することが出来る。しかも、その構成は、極めてシンプルで部品点数の減少を図ることが出来る。
【００４０】なお、上述した各実施の形態は、本発明の好適な実施の形態の例であるが、これに限定されるものではなく、本発明の要旨を逸脱しない範囲において、種々変形実施可能である。
【００４１】
【発明の効果】以上説明したように、請求項１記載の発明では、この種ディスク装置に、ディスク受け面の中心より前面側に、ディスクを装着した状態で該ディスクを跨ぐようにディスク落下防止バーを設けるとともに、前記トレイの前面側が、ディスク受け面の裏面側にヒンジ機構により折れ曲がるように一体的に形成すれば、この種装置を縦置き使用もできるのは勿論のこと、ディスクの装着も殊更神経を使う必要がない。更に、その構成は極めてシンプルで、部品点数の減少を図ることが出来るとともに、この種装置が安価となる、などという効果を奏する。
【００４２】また、請求項２記載の発明では、ディスク受け面側に、ディスクを装着した状態で該ディスクを跨ぐようにディスク落下防止バーを設けるといった簡単な構成により、この種装置を縦置き使用もできるのは勿論のこと、極めてシンプルな構成となり部品点数の減少を図り、この種装置が安価となる。
【００４３】また、請求項３記載の発明では、ディスク落下防止バーを、前記ディスク受け面の中心より背面側に設けることにより、ディスクの挿入距離が短くなり、ディスクをディスク受け面とディスク落下防止バーとの間に簡単に挿入することが出来る。
【００４４】また、請求項４記載の発明では、トレイの前面側を、ディスク受け面の裏面側に折れ曲がるように形成したので、ディスク装着時、トレイの前面側をディスク受け面の裏面側に折り曲げた状態で、ディスクをディスク受け面とディスク落下防止バーとの間に挿入できるので、ディスクの装着がきわめて簡単に出来る。
【００４５】更に、請求項５記載の発明では、ディスク落下防止バーを、ディスク受け面のトレイが折れ曲る側であるトレイ折曲部に設けたので、ディスク装着時、予めトレイの前面側をディスク受け面の裏面側に折り曲げた状態で、ディスクをトレイ折曲部のディスク受け面と、ディスク落下防止バーとの間に挿入し、その状態でトレイ折曲部を元に戻せばよいので、ディスクの装着がきわめて簡単に出来る。
【図面の簡単な説明】
【図１】本発明の一実施の形態によるディスク装置を縦置きとしたときの概略要部斜視図である。
【図２】ディスク装置を横置きとした状態のトレイの要部のみを示す概略平面図である。
【図３】ディスク装置を横置きとした状態のトレイの要部のみを示す概略側面断面図である。
【図４】本発明の他の実施の形態によるディスク装置のトレイの要部のみを示す概略拡大断面図である。
【図５】図４に示すトレイの前面側が、ディスク受け面の裏面側に折れ曲が状態を示す概略拡大断面図である。
【図６】本発明の更に他の実施の形態によるディスク装置のトレイの要部のみを示す概略拡大断面図である。
【図７】図６に示すトレイの前面側が、ディスク受け面の裏面側に折れ曲が状態を示す概略拡大断面図である。
【符号の説明】
１    本体キャビネット
２    トレイ
２１  凹段部
２２  凹段部
２３  ディスク受け面
２４  開口部
２５  裏面
２６  トレイ折曲部
２７  先端部分
３    ディスク
４    ディスク落下防止バー
５    ヒンジ機構
５１  ヒンジ部
５２  爪部
５３  段部
P    中心
F    前面
R    背面
【図１】
2004213726.tif 000003
【図２】
2004213726.tif 000004
【図３】
2004213726.tif 000005
【図４】
2004213726.tif 000006
【図５】
2004213726.tif 000007
【図６】
2004213726.tif 000008
【図７】
2004213726.tif 000009